(57)【特許請求の範囲】
【請求項１】
床面近くに傾動手段を設けて、座を任意の方向へ傾動可能とした椅子において、該傾動手段は、コイルドウェーブスプリングをバネ押えとバネ受けで挟み、バネ押えが傾動可能に中心を取付ボルトで締結され、座が所定角度傾斜すると当接する凸円錐形の係止部材が該コイルドウェーブスプリングの内側で該バネ押えまたはバネ受けに固設されたものであり、座は、ガスシリンダを内装した脚柱の上端に固設し、該脚柱の下端は該バネ押えに固設されたことを特徴とする傾動可能なスツール。
【請求項２】
床面近くに傾動手段を設けて、座を任意の方向へ傾動可能とした椅子において、該傾動手段は、コイルドウェーブスプリングをバネ押えとバネ受けで挟み、バネ押えが傾動可能に中心が取付ボルトで締結され、座が所定角度傾斜すると当接する凸円錐形の係止部材が該コイルドウェーブスプリングの内側で該バネ押えまたはバネ受けに固設されたものであり、座は、固定長さの脚柱の上端または寸胴鍋状の支持体の上端に固設され、該脚柱または支持体の下端は該バネ押えに固設され、該バネ受けの裏面には回動部材が設けられたことを特徴とする傾動可能なスツール。
【請求項３】
前記寸胴鍋状の支持体の上端に設ける座を脱着可能として、該支持体の中を物品の収納スペースとし、または、座を支持体の上端に固設して支持体の側面に複数の開口部を設けたことを特徴とする請求項２に記載の傾動可能なスツール。 
【請求項４】
床面近くに傾動手段を設けて、座を任意の方向へ傾動可能とした椅子であって、該傾動手段は、コイルドウェーブスプリングをバネ押えとバネ受けで挟み、バネ押えが傾動可能に中心が取付ボルトで締結され、座が所定角度傾斜すると当接する凸円錐形の係止部材が該コイルドウェーブスプリングの内側で該バネ押えまたはバネ受けに固設されたものであり、上端に肘掛けが設けられ、座の下方から座の両側へ凹字状に形成された支持体を設け、または、背もたれと一体の座の下部に支持台を固設し、該支持体または支持台の下端は該バネ押えに固設され、該バネ受けはベース上に回動部材を介して取り付けられたことを特徴とする傾動可能なラウンジチェア。
【請求項５】
前記バネ押えとバネ受けの間に座が傾斜すると付勢する弾性部材を設けたことを特徴とする請求項１ないし請求項４のいずれかに記載の傾動可能なスツールまたはラウンジチェア。
【請求項６】
前記コイルドウェーブスプリングの外側へ同心円状に、高さの異なる複数個の係止凸部を四方に形成した係止リングを回動可能に設け、前記バネ押えの裏面に該係止凸部に当接するストッパを四方に固設し、該係止リングには回転させるためのレバーを付設し、座の傾動限度を変更できるようにしたことを特徴とする請求項１ないし請求項５のいずれかに記載の傾動可能なスツールまたはラウンジチェア。
【請求項７】
座の傾動限度を変えるため前記係止リングを回動させるとき、係止凸部が簡便に所定の位置に移動されるように、前記係止リングの外周に係合溝と複数個の係止穴を設けるとともに、該外周の外側にバネで該係止穴へ嵌合する係止部材を設け、前記係止リングを回動させたとき、該係止部材が係止穴へ嵌合して位置決めされる位置決め手段を設けたことを特徴とする請求項６に記載の傾動可能なスツールまたはラウンジチェア。
【請求項８】
前記コイルドウェーブスプリングの傾動に対する強さを変更するため、前記バネ抑えの上面中央または前記バネ受けの裏面中央に固設されたナットにねじ込まれた取付ボルトの先端に回動レバーを付設し、バネ押えとバネ受けとの距離を変更できるようにしたことを特徴とする請求項１〜請求項７のいずれかに記載の傾動可能なスツールまたはラウンジチェア。
【発明の詳細な説明】
【技術分野】
【０００１】  本発明は床面近くに傾動手段を備え、座を任意の方向へ傾動可能にした椅子、特にスツールまたはラウンジチェアに関するものである。
【背景技術】
【０００２】  背もたれのない一人用の椅子をスツールと称しているが、種々のタイプのものがあり、近年は、座が任意の方向へ傾動させることができるようにしたものも見られる。  この種のスツールには、座の直下に傾動手段を設けたものと、床面近くに傾動手段を設けたもの（例えば、特許文献１）がある。【０００３】  特許文献１に記載されたスツールは、ガスシリンダを内挿した支柱の上端に座が固設され、該支柱が嵌合固定された第１の揺動リンクと、これに固定された基板と、基台に対して回転可能に軸支され、前記第１の揺動リンクを直交する方向において回転自在に軸支した第２の揺動リンクと、該基板と該基台との間に張設された複数個のコイルばねとから構成されている。
【先行技術文献】
【特許文献】
【０００４】
【特許文献１】特開２００７−２６８１１８号公報
【発明の概要】
【発明が解決しようとする課題】
【０００５】  特許文献１の揺動可能なスツールは、支柱を第１と第２の揺動リンクで支持した状態でスツールの台座である基台部分に接続したことにより、弾性部材に対して着座した人の体重が直接加わらないので、弾性部材の反発力を低く抑えることができ、また、揺動動作自体をスムーズにできる。  しかしながら、特許文献１の傾動機構は、第１と第２のリンクでユニバーサルとし、コイルスプリングを６個配置しているので、傾動する方向によって傾動の感じが異なり、構造が複雑で、部品数も多く、高価なものとなっている。また、傾動する限度角は、変えることができないので、人によっては傾きすぎて危険を感じる場合がある。【０００６】  そこで、本発明は、簡素でコンパクトな構造で任意の方向へ傾動できる、また、傾きの限度を着座者が簡便に変更できる傾動可能なスツールまたはラウンジチェアを提供することを目的としている。
【課題を解決するための手段】
【０００７】  上記目的を達成するため、請求項１の発明の傾動可能なスツールは、次のように構成した。すなわち、床面近くに傾動手段を設けて、座を任意の方向へ傾動可能とした椅子において、該傾動手段は、コイルドウェーブスプリングをバネ押えとバネ受けで挟み、バネ押えが傾動可能に中心を取付ボルトで締結され、座が所定角度傾斜すると当接する凸円錐形の係止部材が該コイルドウェーブスプリングの内側で該バネ押えまたはバネ受けに固設されたものであり、座は、ガスシリンダを内装した脚柱の上端に固設し、該脚柱の下端は該バネ押えに固設されたことを特徴としている。【０００８】  このスツールは、上下に伸縮できるようにガスシリンダを備えている。高さは任意であるが、高いものに適している。なお、ガスシリンダは、回動自在であるが、座に方向性を備えた場合は、回転自動復帰の機構を備えたものとしてもよい。【０００９】  傾動手段は、コイルドウェーブスプリングをバネ押えとバネ受けで挟み、バネ押えが傾動できるように中心を取付ボルトで締結する。そして、バネ押えが所定角度傾斜するとそれ以上傾斜しないように当接する係止部材を該バネ押えまたはバネ受けに設ける。  バネ受けは、床面に載置されるベース上に固設され、バネ押えは脚柱の下端に固設している。  コイルドウェーブスプリングは、ＪＳＭＡ（日本バネ工業会の規格）ＳＢ００９に規定されているもので、帯状のばね鋼をコイル状に巻き回すとともに、ばね鋼の長さ方向に連続する波型を形成した圧縮型コイルばねである。【００１０】  なお、コイルドウェーブスプリングのみでは、付勢力が不足したり、フィーリングが思わしくない場合は、請求項５に記載のように、バネ押えとバネ受けの間に座が傾斜すると付勢する弾性部材を設けるとよい。弾性部材としては、硬質ゴムやコイルばねを使用できる。  座の傾動に伴ってコイルドウェーブスプリングが撓んでバネ押えが傾くように取付けボルトには球面部材を設けるとともにバネ押えまたはバネ受けには該球面部材に嵌合する凹球面部を設ける。  この凹球面部は、バネ押え近くまたはバネ受け近くのいずれかに設ける。バネ押え近くに設けた場合はバネ押えが傾動しても取付ボルトは傾動しないが、バネ受け近くに設けた場合は取付ボルトが傾動する。【００１１】  請求項２の発明の傾動可能なスツールは、床面近くに傾動手段を設けて、座を任意の方向へ傾動可能とした椅子において、該傾動手段は、コイルドウェーブスプリングをバネ押えとバネ受けで挟み、バネ押えが傾動可能に中心が取付ボルトで締結され、座が所定角度傾斜すると当接する凸円錐形の係止部材が該コイルドウェーブスプリングの内側で該バネ押えまたはバネ受けに固設されたものであり、座は、固定長さの脚柱の上端または寸胴鍋状の支持体の上端に固設され、該脚柱または支持体の下端は該バネ押えに固設され、該バネ受けの裏面には回動部材が設けられたことを特徴としている。【００１２】  このスツールは、座の高さが一定であるスツールであり、傾動手段はベースに回動部材を介して設けている。高さが５００ｍｍ以上のものの場合は、脚柱の上端に座を固設し、下端は上記と同様の傾動手段のバネ押えに固設する。  座の高さが低い場合は、寸胴鍋状の支持体の上端��座を固設し、該支持体の下端を該バネ押えに固設し、該バネ受けは回動部材を介してベースに固設する。  なお、回動部材はコイルドウェーブスプリングの中心を中心としてバネ受けが回動可能に設けられるもので、特に限定しないが、スラストベアリングを使用するのが望ましい。  これは、スツールでは、着座者が傾動させるだけでなく回転も同時に行われるのが一般的なので、コイルドウェーブスプリングへ回転力を負荷させない意味もある。【００１３】  支持体を寸胴鍋状とした場合は、支持体の中を物品の収納スペースとして使用できる。収納スペースとして使用するには請求項３に記載のように、支持体の上端の座を脱着可能にするか、座を支持体の上端に固設して支持体の側面に複数の開口部を設ける構造とするとよい。  なお、支持体は寸胴鍋状、すなわち、座の外周の径の円筒形のものに限定するものではなく、下方に漸次大きくしたものや中央部を絞ったものなども含まれる。また、デザイン上の観点から凹凸を形成してもよい。【００１４】  請求項４の発明は、一人でくつろいで座る椅子であるラウンジチェアであり、床面近くに傾動手段を設けて、座を任意の方向へ傾動可能としたものである。傾動手段は、上記の発明と同様に、コイルドウェーブスプリングをバネ押えとバネ受けで挟み、バネ押えが傾動可能に中心が取付ボルトで締結され、座が所定角度傾斜すると当接する凸円錐形の係止部材が該コイルドウェーブスプリングの内側で該バネ押えまたはバネ受けに固設されたものであり、上端に肘掛けが固設された支持体を座の下方から座の両側へ凹字状に形成し、該支持体の下端を該バネ押えに固設する。あるいは、背もたれと一体の座の下部に支持台を固設し、該支持台の下端を該バネ押えに固設する。そして、該バネ受けはベース上に回動部材を介して取り付けている。このラウンジチェアは、いずれの方向へも傾動でき回転させることもできる。【００１５】  座が傾動できる限度は、丸椅子のように前後左右の方向性がない場合は、一定の角度でよいが、ラウンジチェアのように背もたれがあるような場合は、係止部材の円錐状の形状を変えて背側の傾動限度角を前および左右より小さくしてもよい。  また、座の傾動限度角は、体格や年齢、性別などで異なり、着座者によって変えたい場合がある。この場合は、上記傾動手段の係止部材が当接したときの角度を最大として、これより小さくした複数の傾動限度角を、着座者が適宜選定できるようにして設けるとよい。【００１６】  これは、請求項６に記載のように、コイルドウェーブスプリングの外側へ同心円状に、高さの異なる複数個の係止凸部を四方に形成した係止リングを回動可能に設け、前記バネ押えの裏面に該係止凸部に当接するストッパを四方に固設し、該係止リングには回転させるためのレバーを付設し、座の傾動限度を切換えできるようにするのがよい。なお、係止リングの回動手段は、案内部材に係止リングをガイドさせて回動させるなど種々の構造が考えられ特に限定しない。【００１７】  傾動限度角は、２〜４種でよい。  ここで、「複数個の係止凸部を四方に」という意味は、円を十字状に四分割し、各エリアに高さの異なる係止凸部をワンセットずつ設けることをいう。これにより、座をいずれの方向へ傾けても傾斜限度角になると、バネ押えのストッパが同じ高さの係止凸部に当接する。  傾動限度角を切換える場合は、所望の限度角の係止凸部がバネ押えのストッパの真下に位置するように係止リングを回動させる必要がある。  これを簡便に行うには、請求項７に記載のように、係止リングの外周に係合溝と複数個の係止穴を設けるとともに、該外周の外側にバネで該係止穴へ嵌合する係止部材を設け、座の傾動限度角を変えるため前記係止リングを回動させたとき、該係止部材が係止穴へ嵌合し、係止リングが位置決めされる位置決め手段を設けるのが望ましい。【００１８】  また、座の傾動に対する反力の程度も、座り心地に影響する。この点については、コイルドウェーブスプリングの取付状態、すなわち、バネ押えとバネ受けとの間隔を変えることで調整できる。この調整は、請求項８に記載のように、バネ抑えの上面中央またはバネ受けの裏面中央に固設されたナットにねじ込まれた取付ボルトの先端に回動レバーを付設し、バネ押えとバネ受けとの距離を変更できるようにすればよい。なお、傾動手段の取付けボルトが頭部を上にしている場合は、バネ受けの下方で調整することになるので、ベースの中央を底上げし、作業を容易にするためのスペースを設けるとよい。
【発明の効果】
【００１９】  請求項１の発明の傾動可能なスツールは、床面近くに設ける傾動手段がコイルドウェーブスプリングをバネ押えとバネ受けで挟み、中心を取付ボルトで傾動可能に締結され、座が所定角度傾斜すると当接する係止部材が該バネ押えに設けられたものであり、座は、ガスシリンダを内装した脚柱の上端に固設され、該脚柱の下端は該バネ押えに固設されたものとしたので、従来のようなトラニオンやユニバーサル機構を設ける必要がなくコンパクトな構造にできる。しかも、いずれの方向にも同じ力で傾動するので、フィーリングが極めてよい。【００２０】  また、請求項２の発明は、床面近くに設ける傾動手段を請求項１の発明と同じくし、昇降装置を備えず座の高さは一定で、脚柱の上端に座が固設され、脚柱の下端は該バネ押えに固設され、該バネ受けは回動部材を介してベースに固設しているので、コイルドウェーブスプリングに回転力が負荷されず耐久性に優れている。また、寸胴鍋状の支持体の上端に座を固設した場合は支持体内を収納スペースとして利用できる。【００２１】  また、請求項４の発明は、床面近くに設ける傾動手段を請求項２の発明と同じくし、座の下方に設けた支持台または支持体の下端は該バネ押えに固設され、該バネ受けはベース上に回動部材を介して取り付けられているので、いずれの方向へも傾動させることができ、回転も自在であるので、従来にはないラウンジチェアとなった。
【図面の簡単な説明】
【００２２】
【図１】請求項１の発明の傾動可能なスツールの実施の形態を示す全体正面断面図である。
【図２】同、図１のＡ部拡大図である。
【図３】同、座の傾斜限度角切換手段を付設した断面図で、座が３度傾斜した状態を示す。
【図４】同、図３のＢ−Ｂ視図である。
【図５】同、傾動手段および傾斜角切換手段の分解斜視図である。
【図６】同、コイルドウェーブスプリングの傾動に対するこわさの調整手段の説明図である。
【図７】同、別の傾動可能なスツールの実施の形態を示す全体断面図である。
【図８】同、傾動手段の別の実施の形態を示す全体断面図である。
【図９】同、弾性部材を追加した傾動手段の実施の形態を示す断面図である。
【図１０】同、請求項２の発明の傾動可能なスツールの実施の形態を示す全体断面図である。
【図１１】同、請求項２の発明の別の傾動可能なスツールの実施の形態を示す全体断面図である。
【図１２】同、傾動手段および回動部材の詳細を示す詳細図である。
【図１３】同、座部を傾動させたときの傾動手段の状態を示す断面図である。
【図１４】同、請求項２の発明の別の傾動可能なスツールの例を示す斜視図である。
【図１５】同、請求項４の発明のラウンジチェアの実施の形態を示す斜視図である。
【図１６】同、請求項４の発明の別のラウンジチェアの実施の形態を示す斜視図である。
【発明を実施するための形態】
【００２３】  本発明の傾動可能なスツールの実施の形態を図面に基づいて説明する。  図１は、請求項１の発明のスツールの全体を示す正面断面図であり、図２は図１のＡ部拡大図である。図３は傾斜角度切換手段を設けた実施の形態を示す断面図、図４は図３のＢ−Ｂ視図である。また、図５は傾動手段、傾斜角切換手段およびコイルドウェーブスプリングの傾動に対するこわさの調整手段の分解斜視図である。図６は、コイルドウェーブスプリングの傾動に対するこわさの調整を行うための手段の説明図である。
【００２４】  このスツールは、ガスシリンダ４を内装した脚柱２の上端に座部１が回動自在に取り付けられ、下端は、傾動手段１０を介してベース８に取り付けられている。座部１の下部に設けたレバー６を操作することによりガスシリンダ４が作動し、座は昇降する。なお、ガスシリンダ４は上下２個の上カバー３ａ、下カバー３ｂで覆われている。また、スツールの全高は、ここでは、８４０ｍｍで上下動のストロークは２６０ｍｍとしている。
【００２５】  傾動手段１０は、バネ押え１１とバネ受け１２でコイルドウェーブスプリング１３を上下から挟んでその中央を取付ボルト１６で締結している。そして、コイルドウェーブスプリング１３の内側には、バネ受け１２にボルト１４ｃで取り付けられた上面が円錐状の係止部材１４と、その上部に対向してバネ押え１１にボルト１５ａで取り付けられた下面が平坦な当接部材１５が設けられている。
【００２６】  係止部材１４および当接部材１５は円盤状で外周部はコイルドウェーブスプリング１３のバネ案内となっており、中央部に穴が開けられ、取付けボルト１６が下方から嵌挿されバネ抑え１１に固設された固設ナット１１ｂに締結されている。取付けボルト１６は下端側を頭部とし、首部には球面部材１７が設けられ、係止部材１４には球面部材１７が嵌合する凹球面部１４ａが形成されている。図２において、１８は回り止めのためのナットである。
【００２７】  傾動手段１０は、このように構成されているので、着座者がいずれかの方向へ体重をかけて傾けると、コイルドウェーブスプリング１３が撓み、脚柱２が傾動し、バネ押え１１が傾く。このとき、取付ボルト１６の球面部材１７が係止部材１４の凹球面部１４ａに嵌合し、取付けボルト１６が傾く。そして、座部１が所定の角度（ここでは、８度としている）傾くと、係止部材１４の円錐状の上面が平坦な当接部材１５の下面に当接し、それ以上は傾動しない。
【００２８】  傾動の程度は、転倒の虞などから、所定の角度に制限する必要があるが、この実施の形態では、傾動最大角度を８度とし、このとき、係止部材１４が当接部材１５に当接するようにしている。  この傾動角度は、着座者によっても個人差があるので、図１および図２では記載されていないが、着座者が調整できる傾動角として６度と４.５度と、３度に切換えられる傾動角切換手段２０を備えた実施例を次に説明する。
【００２９】  この傾動角切換手段２０は、図３〜図５に示すように、コイルドウェーブスプリング１３の外側に同心円状に設けた係止リング２１と、その外周に配置されたリングガイド２５と、傾動限度角を切換える切換器２６と、バネ押え１１の裏面に固設したストッパ１１ｃとから構成されている。
【００３０】  係止リング２１は、外周にガイド溝２２が設けられ、リングガイド２５に設けた係止材２５ａに係合して回動自在に設けられている。そして、係止リング２１にはこれを手動で回動させるためのレバー２３が付設されている。  また、係止リング２１の上面には、傾動制限角度がここでは、３度、６度のときに、ストッパ１１ｃと当接する高さの異なる係止凸部２１ａ、２１ｂと、８度以上（ここでは１０度としている）でストッパ１１ｃに当接する係止凸部２１ｃが４分の１円毎に円周４箇所に設けられている。なお、ここで係止凸部２１ｃを選択したときは、傾斜角度が８度になると係止部材１４が当接部材１５に当接してそれ以上傾斜しない。
【００３１】  リングガイド２５は、円弧状で、係止リング２１の外周の２箇所に配置され、ガイド溝２２に係合する係止材２５ａを備えている。  切換器２６は、係止リング２１を回動させて所望の傾動限度角の係止凸部がストッパ１１ｃの真下に位置するように位置決めするもので、リングガイド２５と同様の形状をしており、バネとボールからなるストッパ２６ａを備えている。ストッパ２６ａは、係止リング２１に設けた溝と係止穴からなる位置決めガイド２４と係合し、所定の位置にくるとストッパ２６ａのボールが位置決めガイド２４の係止穴に嵌合して係止リング２１の位置を保持する。
【００３２】  傾動角切換手段２０は、このように構成されているので、着座者は、一度いずれかの方向へ身体を倒して座１を傾動させ、バネ押え１１のストッパ１１ｃが係止したときの傾動限度角が適当でない場合は、レバー２３を操作して切換えることができる。  レバー２３を操作して係止リング２１を回動させると、ストッパ１１ｃと対向する係止凸部２１ａ〜２１ｃの位置が変わり、ストッパ２６ａが位置決めガイド２４に係合して、所定の位置（ストッパ１１ｃの真下）にくるとロックされる。その傾動角度が適当でない場合は、さらに係止リング２１を回動させて傾動限度角を切換えることができる。
【００３３】  次に、座を傾動させるに必要な力（傾動こわさ）の調整を行うバネこわさ調整手段３０について説明する。なお、図６は、これの説明図で、見やすくするため、上記の傾動角切換手段２０は省略している。  このバネこわさ調整手段３０は、コイルドウェーブスプリング１３を挟持しているバネ押え１１とバネ受け１２間の距離を変えるものであり、バネ押え１１の上面中央に固設された固設ナット１１ｂにねじ込まれている取付ボルト１６を緩締することにより行っている。
【００３４】  すなわち、図６において、バネこわさ調整手段３０は、取付ボルト１６の上端にはウォームホィール３１が付設され、これにウォーム軸３３に固設されたウォームギア３４が噛み合っている。そして、ウォーム軸３３にはスパナ３５が嵌合する六角穴が設けられている。  ウォームホィール３１，ウォーム軸３３、ウォームギア３４は、ギアケース３２に装着され（図５参照）、外側は、バネ押え１１に固設されたブラケット７およびそれに外嵌された下カバー３ｂに覆われているので、六角棒スパナ３５が挿入できるように、ブラケット７および下カバー３ｂには開口７ａ、３ｃが設けられている。
【００３５】  バネこわさ調整手段３０はこのように構成されているので、スパナ３５でウォーム軸３３を回動させることにより取付ボルト１６が回動し、バネ押え１１を上下させることができる。バネ押え１１が下がるとコイルドウェーブスプリング１３の傾動に対するこわさが増加し、傾動し難くなる。逆に、バネ押え１１が上がると傾動に対するこわさが弱くなり、傾動し易くなる。
【００３６】  次に、高さが変えられる傾動可能なスツールの別の実施の形態について図７に基いて説明する。  図７に示すスツールは、上記の実施の形態と外観が異なるだけで、構成部品は同様である。すなわち、座部４０にはガスシリンダ４３の上端が固設され、下端はベース８に取り付けられた上記説明した傾動手段１０に連結されている。  ガスシリンダ４３の上端部には伸縮させるためのレバー４４が設けられ、側面を上カバー４１と一段小径の下カバー４２で覆われている。なお、このスツールの大きさは、ここでは、全高は４００ｍｍ、ストロークは５５ｍｍとしている。
【００３７】  上記の実施の形態で説明した傾動角切換手段２０およびコイルドウェーブスプリング１３の傾動に対するこわさの調整手段３０は、上記と同じく設けられているが、構成は同じであるので説明は省略する。  なお、上カバー４１は、座部４０の傾動に伴って傾動するが、下カバー４２は傾動しない。それでも、下カバー４２の径が大きいので、レバー２３や六角棒スパナ３５を挿入する開口４２ａは、下カバー４２の近くまで延出させている。
【００３８】  次に、傾動手段１０の別の実施の形態について図８および図９に基いて説明する。  図８は傾動手段１０Ａの正面断面図を示すもので、バネ押え１１とバネ受け１２でコイルドウェーブスプリング１３を挟んでその中央を取付ボルト１６で締結している。そして、コイルドウェーブスプリング１３の内側には、バネ受け１２にボルト１５ａで取り付けられた上面が平坦な当接部材１５と、その上部に対向してバネ押え１１にボルト１４ｃで取り付けられた下面が円錐状に形成された係止部材１４が設けられている。
【００３９】  係止部材１４および当接部材１５は円盤状で外周部はコイルドウェーブスプリング１３のバネ案内となっており、中央部に穴が開けられ、取付けボルト１６が頭部を上にして嵌挿され固設ナット８ｂに締結されている。取付けボルト１６の首部には球面部材１７が設けられ係止部材１４にはこれが嵌合する凹球面部１４ａが形成されている。図８において、１６ａはカラーで、バネ押え１１とバネ受け１２との間の距離を一定にするためのもので、上記コイルドウェーブスプリング１３の傾動に対するこわさの調整手段３０を設ける場合は取り除く。
【００４０】  傾動手段１０Ａは上記の傾動手段１０とは、取付けボルト１６が頭部を上にしている点で相違している。なお、ここでは、省略するが、傾動角切換手段２０およびバネのこわさ調整手段３０については上記と同じく設けることができる。  傾動手段１０Ａは、着座者が座をいずれかの方向へ傾けると、それにともなって脚柱２が傾動し、これに固設されているバネ押え１１が傾く。このとき、係止部材１４がバネ押え１１に伴って傾動し凹球面部１４ａが取付ボルト１６の球面部材１７と嵌合して動き、取付けボルト１６は傾動しない。そして、バネ押え１１が所定の角度（ここでは８度）傾くと、係止部材１４の下面が当接部材１５に当接し、それ以上は傾動しない。
【００４１】  図９は、傾動手段１０の別の実施の形態を示す正面断面図である。  この傾動手段１０Ｂは、傾動手段１０Ａに弾性部材１３ａを追加したものである。  すなわち、バネ受け１２上の当接部材１５と上方の係止部材１４の間に円筒状の合成ゴム製の弾性部材１３ａが設けられ、当接部材１５にはこれを保持するためのリング状のバネ用溝１５ｂが形成され、対抗する係止部材１４にも同様のバネ用溝１４ｄが設けられている。  傾動手段１０Ｂはこのように構成されているので、適宜な弾性部材１３ａを使用することにより支持バネ力や傾動に対するフィーリングを向上させることができる。
【００４２】  次に、請求項２の発明の実施の形態を図１０〜図１４に基いて説明する。図１０は、座の高さが一定で高い傾動可能なスツールの全体を示す正面断面図であり、図１１は座の低いスツールの実施の形態を示す正面断面図である。また、図１２は、傾動手段１０Ｃの拡大図で、図１３は座部５０、５５を傾動させたときの傾動手段１０Ｃの状態を示す断面図である。
【００４３】  図１０に示すスツールは、脚柱５１の上面に座５０が固設され、脚柱５１の下部には、上記実施の形態と同じ傾動手段１０Ｃが設けられ、置台５２に回動部材１９を介して取り付けられている。座の高さは昇降できないが、回動部材１９により回転自在である。  図１１に示すスツールは寸胴鍋状の支持体５６の上端に座部５５が固設され、該支持体５６の下部には傾動手段１０Ｃが設けられ、置台５７に回動部材１９を介して取り付けられている。座の高さは低く昇降しない。また、支持体５６の内部は、空洞であり、座部５５は支持体５６に脱着可能に取り付けられている。
【００４４】  傾動手段１０Ｃは、図１２に示すように、バネ押え１１とバネ受け１２でコイルドウェーブスプリング１３を挟み、その中央を取付ボルト１６で締結している。そして、コイルドウェーブスプリング１３の内側には、バネ受け１２にボルト１２ｂで取り付けられた上面が平坦な当接部材１５と、その上部に対向してバネ押え１１にボルト１４ｃで取り付けられた下面が円錐状に形成された係止部材１４が設けられている。
【００４５】  係止部材１４および当接部材１５は円盤状で中央部に穴が開けられ、取付けボルト１６が頭部を上にして嵌挿されベース８の裏面の固設ナット８ｂに締結されている。取付けボルト１６の首部には球面部材１７が設けられ、係止部材１４に嵌合する凹球面部１４ａが形成されている。そして、バネ受け１２の裏面にはスラストベアリング１９が設けられている。なお、図１２において、１５ｃは敷板、１６ａはカラー、１８はナットである。
【００４６】  傾動手段１０Ｃは、このように構成されているので、着座者が座部５０をいずれかの方向へ体重をかけて傾けると、コイルドウェーブスプリング１３が撓み、脚柱５１およびバネ押え１１が傾く。このとき、係止部材１４も共に傾き、凹球面部１４ａが取付ボルト１６の球面部材１７に嵌合して係止部材１４が動き、取付けボルト１６は垂直のままで傾かない。そして、座部５０が所定の角度（ここでは、８度としている）傾くと、係止部材１４の円錐状の上面が平坦な当接部材１５の下面に当接し、それ以上は傾動しない。  図１３は、座部５０を傾動させたときの傾動手段１０Ｃの状態を示している。  また、座部５０に回転する力がかかった場合は、この力はバネ押え１１からコイルドウェーブスプリング１３の上端に伝達されるが、スラストベアリング１９によって回動し、コイルドウェーブスプリング１３が捩じられることはない。  なお、図１１における傾動手段１０Ｃは、図１０の場合と同じであるので説明は省略する。
【００４７】  図１４に示すスツールは、図１１と同様、支持体６１の上面に座６０が固設され、支持体６１の下部には、上記実施の形態と同様の傾動手段１０Ｃが設けられ、ベース６２に回動部材１９を介して取り付けられている。  支持体６１は座６０からやや膨らみを持った曲面に形成され、内部は、空洞で物品の収納ができ、開口部６１ａが複数個設けられている。傾動手段１０Ｃは上記と同じであるので、説明は省略する。
【００４８】  次に、請求項４の発明の実施の形態について図１５および図１６に基づいて説明する。  図１５のラウンジチェアは、背もたれに傾斜のある1人掛けのゆったりして使用されるもので、背もたれ７１ａと一体の座部７１が支持体７２に固設され、該支持体７２はベース７３に固設された置台７４に傾動手段１０Ｃを介して取り付けられている。  支持体７２は、ラウンジチェア７０の正面から見て座部７１の下方から座部７１の両側へ凹字状に形成され、上端には肘掛け７２ａが設けられている。傾動手段１０Ｃは、上記図１１に示したものと同じであるので、説明は省略する。
【００４９】  図１６は、ラウンジチェアの別の実施の形態を示すもので、図１６（ａ）のラウンジチェア８０は、背もたれ８１ａと一体の座部８１の下部に支持台８３が固設され、傾動手段１０Ｃを介してベース８に取り付けられている。傾動手段１０Ｃは上記１１図に示すもので、スラストベアリング１９も付設されている。なお、８２は肘掛けである。また、図１６（ｂ）のラウンジチェア９０は、背もたれと一体の座部９１の下部に支持台９３が固設され、傾動手段１０Ｃを介してベース８に取り付けられている。傾動手段１０Ｃは上記１１図に示すもので、スラストベアリング１９も付設されている。
【００５０】  ラウンジチェア７０、８０，９０は、このように構成されているので、着座者が座部７１、８１，９１に座っていずれかの方向へ体重を移すと、それに伴って傾動する。そして、所定の角度（８度）まで傾くと、係止部材１４の円錐状の上面が平坦な当接部材１５の下面に当接し、それ以上は傾動しない。なお、スラストベアリング１９によっていずれの方向へも回転させることができる。  この実施の形態では、傾動角切換手段２０およびバネこわさ調整手段３０は設けていないが、上記と同様に設けることができる。
【符号の説明】
【００５１】１  座部２  脚柱３ａ  上カバー３ｂ  下カバー３ｃ  開口４  ガスシリンダ５  カバー６  レバー７  ブラケット７ａ  開口８  ベース８ａ  ボルト８ｂ  固設ナット１０  傾動手段１０Ａ  傾動手段１０Ｂ  傾動手段１０Ｃ  傾動手段１１  バネ押え１１ａ  ナット１１ｂ  固設ナット１１ｃ  ストッパ１１ｄ  ボルト１２  バネ受け１２ａ  ナット１２ｂ  ボルト１３  コイルドウェーブスプリング１３ａ  弾性部材１４  係止部材１４ａ  凹球面部１４ｂ  円錐面１４ｃ  ボルト１４ｄ  バネ用溝１５  当接部材１５ａ  ボルト１５ｂ  バネ用溝１５ｃ  敷板１６  取付ボルト１６ａ  カラー１７  球面部材１８  ナット１９  スラストベアリング２０  傾動角切換手段２１  係止リング２１ａ、２１ｂ,２１ｃ  係止凸部２２  ガイド溝２３  レバー２４  切換ガイド２５  リングガイド２５ａ  凸部２６  切換器２６ａ  ストッパ３０  バネのこわさ調整手段３１  ウォームホィール３２  ギアケース３３  ウォーム軸３４  ウォームギア３５  スパナ４０  座部４１  上カバー４２  下カバー４２ａ  開口４３  ガスシリンダ４４  レバー５０  座部５１  脚柱５２  置台５５  座部５６  支持体５７  置台６０  座部６１  支持体６１ａ  開口部６２  ベース７０  ラウンジチェア７１  座部７１ａ  背もたれ７２  支持体７２ａ  肘掛け７３  ベース７４  置台８０  ラウンジチェア８１  座部８１ａ  背もたれ８２  肘掛け８３  支持台９０  ラウンジチェア９１  座部９３  支持台
【図１】
0006709475.tif 000002
【図２】
0006709475.tif 000003
【図３】
0006709475.tif 000004
【図４】
0006709475.tif 000005
【図５】
0006709475.tif 000006
【図６】
0006709475.tif 000007
【図７】
0006709475.tif 000008
【図８】
0006709475.tif 000009
【図９】
0006709475.tif 000010
【図１０】
0006709475.tif 000011
【図１１】
0006709475.tif 000012
【図１２】
0006709475.tif 000013
【図１３】
0006709475.tif 000014
【図１４】
0006709475.tif 000015
【図１５】
0006709475.tif 000016
【図１６】
0006709475.tif 000017